(57)【要約】【課題】  ユーザーが斜め上を向く姿勢で身体を支えられながら斜めの足置き部に無理なく足を載せて、安定し且つ安全でリラックスした状態で入浴することができる浴槽を提供する。【解決手段】  浴槽１は、入浴中のユーザー２の背中３から頭部４までを支持可能な曲面状をなして浴槽の一方側部５に形成された上半身支持部６と、臀部７が不意に滑るのを防止するために底板８に設けられた臀部ストッパ９と、足１０を載せることができるように浴槽の他方側部１１に傾斜して設けられた足置き部１２とを備えている。【選択図】    図２
2006006668.tif 000002
【特許請求の範囲】
【請求項１】
入浴中のユーザーの背中から頭部までを支持可能な曲面状をなして浴槽の一方側部に形成された上半身支持部と、
臀部が不意に滑るのを防止するために底板に設けられた臀部ストッパと、
足を載せることができるように前記浴槽の他方側部に傾斜して設けられた足置き部とを備えたことを特徴とする浴槽。
【請求項２】
請求項１に記載の浴槽であって、前記上半身支持部の上端部近傍は、前記頭部を安定した自然な姿勢で支持可能な頭部支持部を構成していることを特徴とする浴槽。
【請求項３】
請求項２に記載の浴槽であって、前記浴槽のフランジ部は、その途中から前記頭部支持部に至るまで所定の曲面形状で斜めに次第に立ち上がっていることを特徴とする浴槽。
【請求項４】
請求項１，２または３に記載の浴槽であって、
前記浴槽のフランジ部は、前記一方側部より前記他方側部の方が低くなるように形成され、
前記上半身支持部に支持された姿勢で入浴中の前記ユーザーから見て両側にある一方と他方のフランジのうちこの一方のフランジのみに立上がり縁部を長手方向に延びて連続的に一体形成することにより、前記浴槽に満杯になった湯水は前記ユーザーの足元側で前記他方のフランジを越えて溢れ出るようにしたことを特徴とする浴槽。
【請求項５】
請求項１ないし４のいずれかの項に記載の浴槽であって、前記臀部ストッパは、前記底板の所定位置を上方に突出させ一体的に折曲形成して前記臀部の滑りを規制する突部であることを特徴とする浴槽。
【請求項６】
請求項１ないし５のいずれかの項に記載の浴槽であって、
前記浴槽は湯水を循環させて噴流を発生させる循環式浴槽であり、前記足置き部には、足裏に向けて前記噴流を噴出するための足裏用吐き出し口部を設けたことを特徴とする浴槽。
【請求項７】
請求項６に記載の浴槽であって、前記足置き部には、一対の前記足裏用吐き出し口部と、前記足裏のつぼを刺激可能な足つぼ用突起部とを設けたことを特徴とする浴槽。
【請求項８】
請求項１，６または７に記載の浴槽であって、前記足置き部は、前記浴槽の内部を光で演出するための照明具を有していることを特徴とする浴槽。
【請求項９】
請求項６，７または８に記載の浴槽であって、
前記上半身支持部は、入浴して自然な状態で身体を伸ばしている前記ユーザーの背中に沿ってこの背中を支持する背もたれ部を有し、この背もたれ部には、前記ユーザーに向けて前記噴流を噴出するための背もたれ部用吐き出し口部が設けられていることを特徴とする浴槽。
【発明の詳細な説明】
【技術分野】
【０００１】
本発明は、ユーザーが斜め上を向く姿勢で身体を支えられながら斜めの足置き部に無理なく足を載せて、リラックスした状態で入浴することができる浴槽に関する。
【背景技術】
【０００２】
特許文献１（実開昭６１−８６０９１号公報）には、浴槽の底部に足を固定可能な足止め部を設けた浴槽が開示されている。一方、特許文献２（特開平１１−２１６０７６号公報）には、傾斜した背面を有して仰向けの姿勢で入浴するための浴槽が記載されている。
【特許文献１】実開昭６１−８６０９１号公報
【特許文献２】特開平１１−２１６０７６号公報
【発明の開示】
【発明が解決しようとする課題】
【０００３】
特許文献１に記載の浴槽は、足止め部が設けられているが、頭部を支えるようにはなっていない。また、臀部が不意に滑るのを防止するための対策は採られていない。
一方、特許文献２に記載の浴槽は、背面に枕を設けて頭部を支えるようになっているが、臀部が不意に滑るのを防止するための対策は採られていない。
【０００４】
本発明は、このような課題を解決するためになされたもので、ユーザーが斜め上を向く姿勢で身体を支えられながら斜めの足置き部に無理なく足を載せて、安定し且つ安全でリラックスした状態で入浴することができる浴槽を提供することを目的とする。
【課題を解決するための手段】
【０００５】
上述の目的を達成するため、本発明にかかる浴槽は、入浴中のユーザーの背中から頭部までを支持可能な曲面状をなして浴槽の一方側部に形成された上半身支持部と、臀部が不意に滑るのを防止するために底板に設けられた臀部ストッパと、足を載せることができるように前記浴槽の他方側部に傾斜して設けられた足置き部とを備えている。
前記上半身支持部の上端部近傍は、前記頭部を安定した自然な姿勢で支持可能な頭部支持部を構成しているのが好ましい。
前記浴槽のフランジ部は、その途中から前記頭部支持部に至るまで所定の曲面形状で斜めに次第に立ち上がっているのが好ましい。
前記浴槽のフランジ部は、前記一方側部より前記他方側部の方が低くなるように形成され、前記上半身支持部に支持された姿勢で入浴中の前記ユーザーから見て、両側にある一方と他方のフランジのうちこの一方のフランジのみに立上がり縁部を長手方向に延びて連続的に一体形成することにより、前記浴槽に満杯になった湯水は前記ユーザーの足元側で前記他方のフランジを越えて溢れ出るようにしているのが好ましい。
前記臀部ストッパは、前記底板の所定位置を上方に突出させ一体的に折曲形成して前記臀部の滑りを規制する突部であるのが好ましい。
好ましくは、前記浴槽は湯水を循環させて噴流を発生させる循環式浴槽であり、前記足置き部には、足裏に向けて前記噴流を噴出するための足裏用吐き出し口部を設けている。
前記足置き部には、一対の前記足裏用吐き出し口部と、前記足裏のつぼを刺激可能な足つぼ用突起部とを設けるのが好ましい。
さらに、前記足置き部は、前記浴槽の内部を光で演出するための照明具を有しているのが好ましい。
前記上半身支持部は、入浴して自然な状態で身体を伸ばしている前記ユーザーの背中に沿ってこの背中を支持する背もたれ部を有し、この背もたれ部には、前記ユーザーに向けて前記噴流を噴出するための背もたれ部用吐き出し口部が設けられているのが好ましい。
【発明の効果】
【０００６】
本発明の浴槽は、上述のように構成したので、ユーザーは、斜め上を向く姿勢で身体を支えられながら斜めの足置き部に無理なく足を載せて、安定し且つ安全でリラックスした状態で入浴することができる。
【発明を実施するための最良の形態】
【０００７】
下記の実施例では、浴槽に上半身支持部と臀部ストッパと足置き部を設けることにより、ユーザーが、斜め上を向く姿勢で上半身支持部と臀部ストッパとにより身体の上半身と臀部とをそれぞれ支えられながら斜めの足置き部に無理なく足を載せて、安定し且つ安全でリラックスした状態で入浴することができるという目的を実現している。
【実施例】
【０００８】
以下、本発明にかかる実施例を図１ないし図７を参照して説明する。
図１ないし図７は本発明の一実施例を示す図で、図１は、浴槽の使用状態を示す正面断面図、図２は図１に示す浴槽の平面図、図３は図２のIII−III線断面図、図４は浴槽の斜視図、図５は他の方向から見たときの浴槽の斜視図である。
図６は、本実施例の変形例にかかる浴槽の使用状態を示す正面断面図で、図１相当図、図７は、図６に示す浴槽の斜視図で図５相当図である。
【０００９】
図１ないし図５は本実施例の浴槽１を示しており、図６，図７には、本実施例の変形例にかかる浴槽１ａを示している。
浴槽１，１ａは、入浴中のユーザー２の背中３から頭部４までを支持可能な曲面状をなして浴槽１，１ａの一方側部（図１，図６の右方の部位）に形成された上半身支持部６と、臀部７が不意に滑るのを防止するために底板８に設けられた臀部ストッパ９と、足１０を載せることができるように浴槽１，１ａの他方側部（図１，図６の左方の部位）１１に傾斜して設けられた足置き部１２，１２ａとを備えている。
入浴時に、浴槽１，１ａには湯水１５が入っている。ユーザー２は、上半身支持部６に頭部４と背中３を当て、足を伸ばしたリラックスした姿勢で入浴することができる。すなわち、ユーザー２は、斜め上を向く姿勢で身体を支えられながら斜めの足置き部１２，１２ａに無理なく足１０を載せて、リラックスした状態で入浴することができる。
このとき、臀部７が不意に滑るのを臀部ストッパ９で防止しているので安全であり、斜めの足置き部１２には足１０を無理なく載せることができるので、安定した姿勢で入浴することができる。
【００１０】
特許文献１に記載の浴槽は頭部を支える構造になっていないので、ユーザーは、入浴中に自然と首や肩に頭部を支えるための力が入ってしまう。
これに対して、本発明の浴槽１，１ａでは、上半身支持部６の上端部１３の近傍は、頭部４を安定した自然な姿勢で支持可能な曲面を有する頭部支持部（ヘッドレスト）１４を構成している。
したがって、ユーザー２は、自然な姿勢で頭部４を頭部支持部１４にもたせかけて安定した状態で入浴することができる。すなわち、入浴中のユーザー２は、頭部支持部１４に頭部４を載せて、身体中の力を抜いた状態で安定した姿勢で入浴することができる。頭部４は頭部支持部１４で支持されるので、首や肩に頭部４を支えるための力が入ることはなく、リラックスした入浴が可能になる。
【００１１】
浴槽１，１ａの上半身支持部６は背もたれ部１６を有している。この背もたれ部１６は、斜め上を向いて自然な状態で身体を伸ばしている入浴中のユーザー２の背中３に沿って、この背中３を支持している。
浴槽１，１ａが背もたれ部１６を有しているので、ユーザー２は、足を伸ばし足置き部１２，１２ａに無理なく足１０を載せてリラックスした姿勢で、背もたれ部１６に背中３をもたせかけた安定した状態で入浴することができる。
なお、ユーザー２は、必ずしも常に足１０を足置き部１２，１２ａに載せておく必要はない。たとえば、ユーザー２は、斜め上を向く姿勢で背もたれ部１６に背中３をもたせかけたまま（または、背もたれ部１６と頭部支持部１４に背中３と頭部４をそれぞれ当てた状態で）、足置き部１２，１２ａ以外のところまで足を伸ばして投げ出したり、足を曲げたりすれば、足に負担をかけない状態でリラックスした入浴を行うことができる。
【００１２】
浴槽１，１ａの上端縁部全周（または、ほぼ全周）にはフランジ部１７が設けられている。フランジ部１７は、その途中（図１の左右方向（長手方向）の途中）から頭部支持部１４に至るまで、所定の曲面形状で斜めに次第に立ち上がったトリミングラインを形成している。
これにより、入浴中のユーザー２は、その腕１８を伸ばしフランジ部１７に自然な状態で載せてリラックスすることもできる。また、フランジ部１７が、滑らかな曲線をなしていることによる視覚的な癒し効果も発揮する。
【００１３】
フランジ部１７は、一方側部５より他方側部１１の方が低くなるように形成されている。また、立上がり縁部３２が、長手方向（図１，図６の左右方向）に延びて連続的に一体形成されている。
立上がり縁部３２は、上半身支持部６に背中３や頭部４などを当てた姿勢で入浴中のユーザー２から見て、両側にある一方と他方のフランジ３０，３１のうち一方のフランジ３０のみに形成されている。立上がり縁部３２は浴室の壁３３に沿って配置され、立上がり縁部３２と壁３３との間の目地３４には防水性のシール剤が充填されて、水の浸入を防止している。
一方のフランジ３０のみに立上がり縁部３２を形成したので、浴槽１，１ａに満杯になった湯水１５は、ユーザー２の足元側で他方のフランジ３１を越えて溢れ出る。湯水１５は、他方のフランジ３１を越えて溢れ出るとき、立上がり縁部３２が形成されているので、目地３４のところまでは届かない。
その結果、目地３４にヌメリなどが発生するのを防止することができる。ユーザー２の顔に近い部分では湯水１５が溢れ出ることはないので、ユーザー２は安全で快適に入浴することができる。
【００１４】
底板８に臀部ストッパ９を設けたので、ユーザー２が肩まで湯水１５に浸かるために身体をずらせたときに、臀部ストッパ９が臀部７をしっかりと支持するので、臀部７が底板８上を必要以上に不意に滑ってしまう恐れはない。
本実施例の浴槽１，１ａでは、臀部ストッパ９は、底板８の所定位置を上方に突出させ一体的に折曲形成して臀部７の滑りを規制する突部３５である。突部３５を底板８の一部として一体形成すれば、製造が容易で部品点数が増えることはないので好ましい。
なお、突部３５に代えて、摩擦係数の大きな部材を底板８上に貼り付けたり、エンボス加工した部材を底板８に取付けて臀部ストッパ９を構成する場合であってもよい。
【００１５】
図１ないし図５に示す浴槽１において、その底板８から一方側部１１の立ち上がり部３６に至る境界部分が傾斜部３７になっており、この傾斜部３７が足置き部１２を構成している。
足置き部１２は、入浴中のユーザー２から見て浴槽１の左右方向のほぼ全体に延びて形成されている。足置き部１２の傾斜角度は、入浴中のユーザー２が足首を無理に曲げることなく自然な姿勢で足置き部１２に足１０を載せることができるような所定の角度になっている。
足置き部１２を設けたので、入浴中のユーザー２は、足置き部１２に足１０を載せて踏ん張れば、湯水１５の中で身体を動かすときや浴槽１から出るときの動作がスムーズに行える。
【００１６】
次に、図６，図７に示す浴槽１ａについて説明する。なお、浴槽１と同一または相当部分には同一符号を付してその説明を省略し、異なる部分のみ説明する。
浴槽１ａは、湯水１５を循環させて噴流４０を発生させる機能を有する循環式浴槽（たとえば、ジェット噴流バス）である。この浴槽１ａの断面構造は、図３に示す構造と同じである。
浴槽１ａでは、循環ポンプと循環パイプなどを含む循環配管路４１が、浴槽１ａの外部に設けられている。浴槽１ａの壁面には、循環配管路４１に連通接続された一つ（または、複数）の吸込み口が設けられている。
入浴中のユーザー２が無理なく足１０を載せることができる足置き部１２ａが、浴槽１ａの他方側部（図６の左方の部位）１１に傾斜して設けられている。足置き部１２ａには、足裏４２に向けて噴流４０を噴出するための一つまたは二つ（ここでは、二つ）の足裏用吐き出し口部４３が設けられている。
この足置き部１２ａは、噴流４０による足裏４２のマッサージと足裏４２のつぼの刺激とを行うための、足裏４２専用の構成部材である。
【００１７】
背もたれ部１６は、浴槽１ａの一方側部（図６の右方の部位）５に設けられている。背もたれ部１６には、ユーザー２に向けて噴流４０を噴出するための一つまたは複数（ここでは、二つ）の背もたれ部用吐き出し口部４４が設けられている。なお、背もたれ部用吐き出し口部４４を省略して、噴流４０が足裏用吐き出し口部４３のみから噴出するようにしてもよい。
浴槽１ａの上部には、循環配管路４１の吸気管に連通接続された空気取り入れ口が設けられている。空気は、この空気取り入れ口から吸気管を通って循環パイプに吸引され、この循環パイプを流れる湯水に混入して、足裏用吐き出し口部４３と背もたれ部用吐き出し口部４４からそれぞれ噴流４０となって噴出される。
【００１８】
前記構成の浴槽１ａにおいて、循環ポンプが運転されると、浴槽１ａ内の湯水１５が吸込み口から吸込まれ、吸込み側循環パイプを通って循環ポンプに流入する。この循環ポンプで圧力の上昇した湯水は、吐出側の循環パイプを流れ、そして、湯水は、空気取り入れ口と吸気管から流入した空気と混合した後、足裏用吐き出し口部４３と背もたれ部用吐き出し口部４４からそれぞれ噴流４０となって浴槽１ａ内に噴出されて循環する。
足裏用吐き出し口部４３から噴出した噴流４０は、入浴中のユーザー２の足裏４２に集中的に当たって、足裏マッサージが行われる。また、背もたれ部用吐き出し口部４４から噴出した噴流４０は、ユーザー２の腰や背中３などに当たって、こりや疲れなどが効果的に緩和される。
浴槽１ａ内の湯水１５に混じっている毛髪やごみなどは、吸込み口で吸込まれる時に除去されるので、循環する湯水１５は常に清浄に保たれている。
【００１９】
足置き部１２ａを浴槽１ａの他方側部１１に傾斜して設けたので、ユーザー２は、入浴した状態で足首を無理に曲げることなく自然な姿勢でくつろぎながら、足裏４２を噴流４０で集中的に刺激して快適にマッサージすることができる。足置き部１２ａが傾斜しているので、ユーザー２は、足置き部１２ａに足を載せた状態で浴槽１ａ内で踏ん張りがきくことになり、長時間安心して快適に足裏マッサージができる。
循環配管路４１で空気が湯水に混入されるので、噴流４０は湯水に気泡４５が混じった状態になっており、この噴流４０が、足裏４２，腰，背中３などに集中的に当たると効率よくマッサージが行われる。なお、噴流４０は、気泡４５を含まず湯水のみからなる場合であってもよい。
【００２０】
次に、足置き部１２ａについて説明する。
浴槽１ａにおいて、その底板８から他方側部１１の立ち上がり部３６に至る境界部分が傾斜部３７になっており、この傾斜部３７が足置き部１２ａを構成している。傾斜部３７は、入浴中のユーザー２から見て浴槽１ａの左右方向のほぼ全体に延びて形成されている。
傾斜部３７の傾斜角度は、入浴中のユーザー２が足首を無理に曲げることなく自然な姿勢で足置き部１２ａに足１０を載せることができるような所定の角度になっている。
【００２１】
足置き部１２ａには、一対の足裏用吐き出し口部４３と、足裏４２のつぼを刺激可能な一対の足つぼ用突起部４６とが設けられている。
一対の足裏用吐き出し口部４３は、入浴中のユーザー２が自然な姿勢で両足１０を少し開いてそれぞれ載せることができるように、所定距離離れて配置されている。なお、足裏用吐き出し口部４３は、一対設けるのが好ましいが、一つのみ設けた場合であってもよい。
足つぼ用突起部４６は、足裏４２の土ふまず等にあるつぼを押すことができるように、所定形状を有して突出している。一対の足つぼ用突起部４６は、一対の足裏用吐き出し口部４３の近傍に併設され、且つユーザー２から見て左右方向中央部側に配置されている。なお、足つぼ用突起部４６は一つの場合であってもよい。
足裏用吐き出し口部４３に併設して足つぼ用突起部４６を設けたことにより、ユーザー２にとってリラックス効果がさらに高まる。
【００２２】
足裏用吐き出し口部４３は、足裏４２との間に隙間を形成するために窪み部４７を有している。窪み部４７を形成したので、足裏用吐き出し口部４３から噴出した噴流４０は足裏４２に当たった後、足裏４２と足置き部１２ａとの間の隙間を通って浴槽１ａ内に流れる。
その結果、足置き部１２ａに足１０を載せても、足裏４２で足裏用吐き出し口部４３を完全に塞いでしまうことがなくなる。したがって、足裏用吐き出し口部４３から噴出する噴流４０の流れが止まらないので、循環ポンプに過負荷がかかることがなく、循環ポンプのトラブルを防止することができ安全である。
【００２３】
足置き部１２ａは、浴槽１ａの内部を光で演出するための照明具４８を有している。照明具４８を構成するランプを点灯すれば、透明または着色されたカバーを通った光が、気泡４５のある浴槽１ａの内部を美しく照らして演出するので、リラックス効果がより高くなる。
【００２４】
ユーザー２が足１０を載せるのに最適な位置に足置き部１２ａを斜めに配置し、且つこの足置き部１２ａを最適な形状にしたので、ユーザー２は、入浴した状態でくつろぎながら、足１０を足置き部１２ａに長時間載せたままで、足裏４２を噴流４０で刺激してマッサージしたり、足つぼ用突起部４６で足裏４２のつぼを刺激することができる。
背もたれ部用吐き出し口部４４を設けたので、ユーザー２は、身体を伸ばして背もたれ部１６に背中３をもたせかけながら、背もたれ部用吐き出し口部４４から噴出した噴流４０で腰や背中３などを刺激してマッサージすることができる。
【００２５】
以上、本発明の一実施例（変形例を含む）を説明したが、本発明は、上述の実施例に限定にされるものではなく、本発明の要旨の範囲で種々の変形，付加などが可能である。
なお、各図中同一符号は同一または相当部分を示す。
【産業上の利用可能性】
【００２６】
本発明は、住宅(一戸建て住宅，集合住宅），ホテルなどに設置される浴槽に適用可能である。
【図面の簡単な説明】
【００２７】
【図１】図１ないし図７は本発明の一実施例を示す図で、図１は、浴槽の使用状態を示す正面断面図である。
【図２】浴槽の平面図である。
【図３】図２のIII−III断面図である。
【図４】浴槽の斜視図である。
【図５】他の方向から見たときの浴槽の斜視図である。
【図６】本実施例の変形例にかかる浴槽の使用状態を示す正面断面図で、図１相当図である。
【図７】図６に示す浴槽の斜視図で、図５相当図である。
【符号の説明】
【００２８】
１，１ａ    浴槽
２      ユーザー
３      背中
４      頭部
５      一方側部
６      上半身支持部
７      臀部
８      底板
９      臀部ストッパ
１０    足
１１    他方側部
１２，１２ａ    足置き部
１３    上端部
１４    頭部支持部
１５    湯水
１６    背もたれ部
１７    フランジ部
３０    一方のフランジ
３１    他方のフランジ
３２    立上がり縁部
３５    突部
４０    噴流
４２    足裏
４３    足裏用吐き出し口部
４４    背もたれ部用吐き出し口部
４６    足つぼ用突起部
４８    照明具
【図１】
2006006668.tif 000003
【図２】
2006006668.tif 000004
【図３】
2006006668.tif 000005
【図４】
2006006668.tif 000006
【図５】
2006006668.tif 000007
【図６】
2006006668.tif 000008
【図７】
2006006668.tif 000009